(57)【要約】【課題】  情報の手動入力手段が十分に備えられていないカメラ機器等の情報処理装置でも、容易に無線通信相手の存在を認識し、かつ通信リンクに必要なＩＤコードを共有し、さらに通信の秘匿性を保証するための暗号化鍵を第三者に知られること無く安全に共有することを可能とする。【解決手段】  使用者の操作に応じて、無線送信電力乃至受信利得を通常より小さくし、通信リンクを識別するＩＤコード情報、暗号鍵を通信し、通信相手と共有する。これらの情報の共有が終了すると、無線送信電力乃至受信利得を元に戻し、共有したＩＤコード情報、暗号鍵を利用してアドホックな通信を開始する。【選択図】  図１
2006060470.tif 000002
【特許請求の範囲】
【請求項１】
情報処理装置において、
無線通信を行う無線通信手段と、
通信リンクを識別するためのＩＤコードを生成するＩＤコード生成手段と、
データに対して暗号化を行う暗号化手段と、
暗号化通信を行うための鍵情報を生成する鍵生成手段と、
前記無線通信手段の送信電力の大きさを制御する送信電力制御手段と、
受信信号の信号強度を復調にとって適切な大きさに制御するための受信利得制御手段と、
使用者からの操作に応じて、前記送信電力制御手段は送信電力が通常よりも小さくし、かつ、前記受信利得制御手段は受信利得が通常よりも小さくし、前記ＩＤコード生成手段によって生成されたＩＤコード情報及び前記鍵生成手段により生成された鍵情報を通信し、通信相手と前記ＩＤコード情報及び前記鍵情報が共有されると前記送信電力制御手段と前記受信利得制御手段を通常の動作に戻し、前記共有した情報を用いて通信することを特徴とする情報処理装置。
【請求項２】
請求項１において、
前記送信電力制御手段と前記受信利得制御手段を通常の動作に戻したか否かに応じて、表示装置によって使用者に所定の表示を行うことを特徴とする情報処理装置。
【請求項３】
情報処理装置において、
無線通信を行う無線通信手段と、
暗号化通信を行うための鍵情報を生成する鍵生成手段と、
前記無線通信手段の送信電力の大きさを制御する送信電力制御手段と、
受信信号の信号強度を復調にとって適切な大きさに制御するための受信利得制御手段と、
使用者からの操作に応じて、前記送信電力制御手段は送信電力が通常よりも小さくし、かつ、前記受信利得制御手段は受信利得が通常よりも小さくし、通信相手と通信リンクを識別するためのＩＤコード情報及び暗号化通信を行うための鍵情報を通信し、通信相手と前記ＩＤコード情報及び前記鍵情報が共有されると前記送信電力制御手段と前記受信利得制御手段を通常の動作に戻し、前記共有した情報を用いて通信することを特徴とする情報処理装置。
【請求項４】
請求項３において、
前記ＩＤコードを生成するＩＤコード生成手段を有し、
前記送信電力制御手段が送信電力を通常よりも小さくし、かつ、前記受信利得制御手段が受信利得を通常よりも小さくした後、通信相手から一定期間内に前記ＩＤコード情報を受信しなかった場合に、前記ＩＤコード生成手段により生成したＩＤコード情報を送信することを特徴とする情報処理装置。
【発明の詳細な説明】
【技術分野】
【０００１】
本発明は情報処理装置に関し、特に無線通信可能な情報処理装置に関する。
【背景技術】
【０００２】
近年、デジタルビデオカメラやデジタルスチルカメラなどの画像記録装置は、小型化、高画質化、低価格化などが進み、世の中に大きく普及している。このようなデジタルカメラ機器は、画像情報をデジタルデータとして取り扱うため、画像データの複製や加工が容易であるという特長を持っている。例えば、銀塩フィルムを用いたカメラでは、所望の写真を複製する際には、主に専門の業者による焼き増しプリント処理が必要であるが、デジタルスチルカメラでは写真はすべてメモリカード内のデジタルデータとして記録されているため、使用者が自分で複製することが可能である。
【０００３】
しかしながら、画像データの複製を行う方法は、未だに十分な利便性があるとは言い難い。例えば、デジタルカメラ内に装着されているメモリカードに格納されている画像データを複製する場合には、カメラのメモリカードを一旦パソコンのカードスロットに移してコピーしたり、あるいはデジタルカメラとパソコンをケーブルで接続して画像データの転送を行うなどの方法が一般的であり、画像の複製のためにデジタルカメラ以外にパソコンなどの機器を準備する必要がある。あるいは、２台のデジタルカメラを直接ＵＳＢやＩＥＥＥ１３９４などのケーブルで接続し画像データを転送することでコピーを行う方法もあるが、この場合もあらかじめ接続ケーブルを準備しておく必要がある。
【０００４】
以上のような接続ケーブルに拘束される不便さを解消する方式として、デジタルカメラ間の無線伝送による画像データのワイヤレス転送方式が考えられている。このようなワイヤレス転送方式を用いると、無線通信機能を利用してカメラ間で画像データをコピーしたり、あるいは１台のカメラで撮影している画像を遠隔地にあるもう１台のカメラに具備された液晶ビューワで表示したりすることが、ケーブルの接続なしに可能となる。そしてこの場合、デジタルカメラのような民生機器にとって利用しやすい無線通信方式はBluetoothやIEEE802.11規格群に規定された無線ＬＡＮなど、無線局免許が不要で誰でも利用できるものが一般的であり、とりわけ動画像あるいは高精細静止画像などの大容量データを伝送するためには、高速なデータ伝送速度を持つ2.4GHz帯や5.2GHz帯の電波を用いた無線ＬＡＮシステムを適用することが有効である。
【０００５】
しかしながら、無線LANシステムは高い利便性の反面、電波を用いたワイヤレス通信方式であるため、通信における秘匿性や信頼性の低さが指摘されてきた。たとえば、電波はその性質上、一旦送信機から空間中に送出されると、あて先となるべき機器以外の第三者が傍受することが可能であり、情報としての通信データが外部の第三者に対して漏洩するおそれがある。
【０００６】
このような問題を防ぐために、無線LANシステムではMAC（Media  Access  Control）層においてデータ情報の暗号化を施しており、具体的な暗号化方式としては、IEEE802.11規格によってWEP（Wire  Equivalent  Privacy）アルゴリズムを用いた共通秘密鍵方式が規定されている。
【０００７】
図５はWEPアルゴリズムによる暗号化ブロックの構成図である。ここで、WEPアルゴリズムで使用される暗号化キーは、共通鍵部分（Shared  Key）とイニシャライゼイション・ベクタ（IV）から構成される。この共通鍵は、あらかじめ使用者によって手動でそれぞれの機器に同一の鍵が設定される一方、イニシャライゼイション・ベクタは暗号化を行う送信側機器が任意に生成するキーであり、パケット伝送ごとにパケットに添付されて相手先に伝えられる。
【０００８】
具体的なＷＥＰアルゴリズムの動作に関しては、まず暗号化を行う機器がイニシャライゼイション・ベクタとして24ビットの任意の値を決定する。移動端末はこのイニシャライゼイション・ベクタと40ビットの共通秘密鍵を連結した64ビット値を乱数発生器に乱数シードとして与える。乱数発生器はこの乱数シードから暗号キーストリームとしての乱数系列（Key  Sequence）を生成し、伝送される平文データ（Plain  Text）とこの乱数系列との排他的論理和演算によって暗号化テキスト（Cipher  Text）が生成される。また同時にデータの完全性を確認するために、CRC-32によるインテグリティ・アルゴリズムによって一種のチェックサムとして32ビットのICVが生成される。このようにして作られた暗号化テキスト、IV、ICVはすべてパケット伝送によって相手先に伝えられる。
【０００９】
こうして暗号化されたパケットを受信した受信側機器は、図６に示すような復号化ブロックによって、受信したパケットに含まれるＩＶ情報と、あらかじめ設定されている共通秘密鍵を連結して、送信側での暗号化で使用されたものと同一の暗号鍵を生成し、これを用いて復号化を行う。このようにＷＥＰアルゴリズムでは、通信を行う機器同士は暗号化パケットの通信を実施する前に共通鍵を互いに共有していなければならない。パソコンなどに利用される無線ＬＡＮシステムであれば、当該パソコンのキーボードなどから容易に利用者がこの共通鍵を入力することが可能であるが、小型なデジタルカメラ機器などのように文字入力手段が十分に備えられていない機器では、このような共通鍵の手動による設定が困難であった。
【００１０】
利用者が手動で共通鍵情報を入力しなくてもすむ手段として、共通鍵の自動的な設定方式なども考えられており、どちらか一方の機器が乱数などによって共通鍵を自動的に生成し、相手側機器へこれを伝達する方式が挙げられる。しかしながらこの方式では、一方の機器で生成された暗号化鍵を平文で相手機器へ無線伝送するために、この暗号化鍵情報自体が第三者に傍受されてしまう可能性があり、十分な安全性があるとは言い難い。
【００１１】
以上説明したように、無線通信によって画像データを伝送するデジタルカメラなどでは、通信の暗号化に用いる共通鍵を設定することが困難であるという問題点があった。
【００１２】
また、無線通信システムは、有線の通信がケーブルなどの物理的な媒体によって接続される運用形態ではなく、無線空間に送出された信号は、互いに通信を行っている機器以外の第三者の通信機にも受信され、あるいは逆に第三者からの信号を受信することになるため、物理的な信号の有無によって接続を認識するのではなく、パケット中のアドレスやＩＤコードなどから自機器にとって必要なパケットを取捨選択することによって、論理的な通信リンクが保持されている。無線ＬＡＮでは、このＩＤコードに相当する仕様としてSS-ID（Service  Set  ID）が用いられる。無線LANで伝送されるパケットにはこのSS-ID情報が含まれており、受信機はこのSS-IDが自分の属する通信リンクのものであるかどうかを判定することにより、論理的に通信相手を識別する。
【００１３】
例えば、このSS-IDを用いて無線リンクを確立するための従来の方式として、特許文献１に開示された技術がある。本従来例では、無線通信品質が劣化した際に通信リンクを再構成する方法が記されているが、このような従来技術では通信リンクを識別するためのSS-IDは、あらかじめ利用者によって無線機器に設定されていなければならない。したがって、一時的に通信リンクを確立して画像通信を行うデジタルカメラなどであっても、利用者の手動オペレーションによってSS-IDが設定されなければならないが、前述したように文字入力手段が十分に備えられていないデジタルカメラなどでは、このようなIDコードの手動での設定が困難である。さらに、２台のカメラ同士が一対一で通信リンクを確立する際に、周辺に存在する第三者の通信機器とのIDコードの重複を避けなければならない。
【００１４】
以上の理由から、カメラ同士の一対一の無線通信においては、乱数などから動的にIDコードを生成することで、他の通信機器が使用しているSS-IDとの重複を避ける手段が有効であるが、この場合にはお互いに使用するIDコードを共有する以前に、周辺に複数個存在すると考えられる無線機器の中から、自分が画像通信を行いたい相手機器を検出しなければならない。しかしながら従来例のような無線LANにおける通信リンクの構成方法では、周辺に存在する機器から送信されているパケットをすべて受信してしまうため、このような処理が不可能であった。従って、SS-IDを共有する前に通信する相手先機器を特定するためには、これら２台の機器が互いに相手以外の機器からの無線信号を受信しないような仕組みが必要である。
【特許文献１】特開2002-185474号公報
【発明の開示】
【発明が解決しようとする課題】
【００１５】
以上説明したように、無線通信を利用して互いに画像データを伝送することが可能なビデオカメラやデジタルスチルカメラが望まれているが、パソコンのフル・キーボードのような十分な入力手段を実装していないカメラ機器では、接続相手を識別するためのＩＤコードや、通信の秘匿性を保証するために必要な共通鍵を、通信を行う２台のカメラそれぞれに手動で入力することが困難であった。また自動的に乱数からＩＤコードや共通鍵を生成する方式では、これらの情報は無線通信によって互いのカメラ間を伝送するために、第三者に容易に傍受されてしまう恐れがあった。
【００１６】
これの問題は、プリンタ、スキャナ、プロジェクタ等の十分な入力手段を持たない機器に共通する問題である。
【００１７】
また、例え十分な入力手段を持つ機器であっても、少ないキー操作で第三者に容易に傍受されないで機器間無線通信行うことができれば、機器の操作性を向上させることができる。
【００１８】
本発明の目的は、例え入力手段が十分に備えられていないカメラ機器などの機器においても、容易に相手の存在を認識し、かつ通信リンクに必要なＩＤコードを共有し、さらに通信の秘匿性を保証するための暗号化鍵を第三者に知られること無く安全に共有することが可能にすることである。
【課題を解決するための手段】
【００１９】
上記目的を達成するため、送信電力乃至受信信号強度を小さくした上で、通信リンクを識別するＩＤコード情報乃至暗号鍵を通信することで、第３者に傍受を防止してＩＤコード情報乃至暗号鍵の共有化を行う。
【発明の効果】
【００２０】
本発明によれば、容易に相手装置の存在を認識し、通信リンクを確立することが可能となった。さらに第三者に傍受される可能性が極めて低くなり、簡便かつ安全な暗号化鍵を共有することが可能となった。
【発明を実施するための最良の形態】
【００２１】
（実施例１）
本発明に係る実施例における画像通信装置の動作について、図を参照しながら説明する。図１は本実施例における画像通信装置の内部構成を示した図である。本図中において、101は画像を撮像するためのレンズユニット、102はＣＣＤユニットであり、これらによって撮像された画像は画像処理部103によって圧縮されたデジタル画像データに変換される。また、画像処理部103はデジタル画像データを復号し、液晶ビューワ104に表示する機能も併せ持つ。105はマイクロプロセッサであり、画像処理部103によって処理された画像データを、システムバス108を介して他の機能ブロックとやり取りする。例えばマイクロプロセッサ105は、画像処理部103から得られた画像データを、メモリカードインターフェース107を介してメモリカード106などの記憶媒体に記録したり、画像処理部103から得られた撮像データやメモリカード106に記録されている画像データを、システムバス108を介して無線モジュール111へ送出し、無線信号としてアンテナ110から空間へ送信する働きなどを持つ。あるいは逆に、無線モジュール111が受信した画像データを、マイクロプロセッサ105はメモリカード106に記録したり、画像処理部103を介して液晶ビューワ104に表示させる機能を持つ。本図はデジタルスチルカメラを例とした画像通信装置の内部構成例であるが、他にもデジタルビデオカメラなどであってもメモリカードのかわりに磁気テープ記録ユニットなどの変更があるのみで、本発明を同様に適用することは可能である。
【００２２】
図２は、本発明の実施例における画像通信装置に具備された前記無線モジュール111の内部構成例を示した図である。無線モジュール111は、送信系回路として暗号化手段201、変調部202、高周波送信部203などを備えている。無線モジュール111は、システムバス108からシステムバスインターフェース213を介して受け取った画像データを、まず暗号化手段201によって暗号化データに変換する。暗号化手段201は、例えば前記従来例において説明されたようなＷＥＰアルゴリズムによる暗号化手段であり、共通鍵から生成された暗号鍵ストリームによって平文データを暗号化データに変換する。暗号化された画像データは、次に変調部202においてデジタル変調される。変調部202において用いられる変調方式としては、無線ＬＡＮの場合ではＤＳ−ＳＳ（Direct Sequence Spread Spectrum）方式、ＦＨ−ＳＳ（Frequency Hopping Spread Spectrum）方式、ＣＣＫ（Complementary Code Shift keying）方式、ＯＦＤＭ（Orthogonal Frequency Division Multiplex）方式などが用いられる。変調部202から出力された変調信号は、高周波送信部203において電波として送出される搬送波周波数帯の高周波信号に変換され、電力増幅された後にアンテナ110から空間へ送信される。また、アンテナスイッチ211はアンテナに対して、送信パスと受信パスを時分割で切り替える働きを持つ。
【００２３】
次に受信系回路部は、高周波受信部206、復調部207、復号化手段208などから構成される。アンテナ110によって受信された高周波信号は、高周波受信部206において中間周波数帯、あるいはベースバンド帯の受信信号に変換される。ここで留意すべきは、無線通信において受信信号強度は一般に送信機と受信機間の距離によって大きく変動するため、復調処理に最適な受信信号を得るために高周波受信部における受信利得を制御できるようになっている。こうして得られた中間周波数帯あるいはベースバンド帯の受信信号は、次に復調部207によってデータ復調され、受信デジタルデータとなる。この受信デジタルデータは、さらに復号化手段208によって送信側で暗号化された時と同じアルゴリズムおよび同じ共通鍵によって復号化され、元の画像データが得られる。この復号化手段も、前記従来例において説明されたようなＷＥＰアルゴリズムによって暗号化データの復号を行うものであり、相手側機器と同一の共有鍵によって生成される暗号鍵ストリームによって暗号化データが平文の画像データに戻される。こうして得られた画像データは、最後にシステムバスインターフェース213を介して、マイクロプロセッサ105に引き渡される。
【００２４】
無線モジュール111において特徴となる部分は、受信利得制御手段209、送信電力制御手段204、ＩＤコード生成手段210、共通鍵生成手段205、さらにこれらを制御する無線モジュール制御手段212を具備しているところである。ここで、受信利得制御手段209は高周波受信部206に対して、受信信号に対する電力利得を制御し、送信電力制御手段204は高周波送信部203に対して送信電力制御を行う。ＩＤコード生成手段210は通信リンクの識別に必要となるＩＤコードを乱数から自動的に生成し、共通鍵生成手段205は乱数からＷＥＰ処理に必要な共通鍵を自動的に生成する。
【００２５】
図３は本発明の実施例における画像通信装置の動作に関して記したシーケンス図である。本実施例においては、画像通信装置として一対のデジタルカメラを例とし、片方をカメラ１、もう一方をカメラ２と表記する。画像データの伝送を行おうとする利用者は、これら２台のカメラを近距離に保持し、それぞれのカメラに具備された接続指示スイッチを押す。この簡単な操作によって、これら２台のカメラは図３で示されるシーケンスへと起動される。
【００２６】
最初に、２台のカメラは第一の動作モードを開始する。第一の動作モードでは、それぞれのカメラは、送信電力制御手段によってパケット送信時の送信電力を通常の伝送モードよりも小さくなるように制御する。このように送信電力を小さくすることにより、カメラから送信される無線パケットは近距離にある相手側カメラまでは伝播するが、遠距離にある他の第三者の受信機には届きにくくなり、無線パケットが第三者へ傍受される可能性が大きく低減される。また同時に、それぞれのカメラは受信利得制御手段によって通常の伝送モードよりも受信利得が小さくなるように制御を行う。これにより相手方カメラ以外の、特に遠距離にある送信機からの無線パケットを受信しなくなり、これら一対のカメラ同士のみでの無線通信が可能となる。
【００２７】
次にカメラ１はＩＤコードと共通鍵を生成するために、第二の動作モードに遷移する。カメラ１はＩＤコード生成手段によってこの通信リンクで使用する一時的なＩＤコードを乱数から自動的に生成し、自装置の無線モジュール制御部に伝達する。さらにカメラ１は、このＩＤコード情報を含んだＩＤコード設定パケットをカメラ２に対して送信する。この時、カメラ２はＩＤコードと共通鍵をカメラ１から受け取るために、第三の動作モードに遷移している。ＩＤコード設定パケットを受信したカメラ２は、自分の通信相手となるべきカメラ１が近くに存在することを認識し、受信したＩＤコードをカメラ１との画像通信に使用するＩＤコードとして自装置の無線モジュール制御部へ設定する。さらにカメラ２は、自分がカメラ１の存在を認識し、かつ正常にＩＤコードを受領したことをカメラ１に知らしめるために、このＩＤコード情報を含んだＩＤコード認識パケットをカメラ１に対して送信する。
【００２８】
この後、カメラ１はカメラ２から送信されたＩＤコード認識パケットを受信すると、自装置の近くに画像伝送をするべき相手側カメラ２が存在することを認識する。ここまでの処理によって、カメラ１とカメラ２との間の通信リンクが確立する。
【００２９】
通信リンクが確立すると、次に２台のカメラは共通鍵の伝送動作を行う。カメラ１はカメラ２との暗号化通信に使用する共通鍵を共通鍵生成手段によって乱数から生成する。カメラ１は生成された共通鍵を自装置の暗号化手段と復号化手段へ設定するとともに、この共通鍵をカメラ２に伝えるために共通鍵設定パケットをカメラ２に対して送信する。カメラ２は、この共通鍵設定パケットを受信すると、パケットに保持されている共通鍵を取り出し、自装置の暗号化手段および復号化手段にこの共通鍵を設定する。このようにしてカメラ１とカメラ２との間で暗号化鍵の伝送が完了し、２台のカメラは同一の共通鍵を共有することが可能となる。最後に、カメラ２は暗号化鍵の共有が完了したことをカメラ１に知らしめるために、共通鍵認識パケットをカメラ１に対して送信する。
【００３０】
以上の処理を完了したカメラ１およびカメラ２は第四の動作モードに移る。第四の動作モードは無線ＬＡＮ規格などで規定されているアドホック通信動作に相当するものであり、このモードによって画像データの転送を行う。第四の動作モードでは、SS-IDとして既にカメラ１とカメラ２が共有しているＩＤコードを無線パケットに含めて通信することで、これら２台のカメラはそれぞれお互いのカメラから送信されているパケットを他の無線機器からのパケットと区別して受信することができるため、効率的なカメラ間通信が可能となる。さらに、暗号化鍵として既にカメラ１とカメラ２が共有している共通鍵を使用することで、第三者に傍受されても画像データの内容が知られないような秘匿性の高い通信を行うことが可能である。
【００３１】
この第四の動作モードでは、送信電力を十分大きくし、また受信利得も高利得な範囲で制御するため、通信リンクの確立処理の際には近距離に配置してあったこれら２台のカメラは、一旦、本発明のシーケンスによって通信リンクが確立された後は、距離的に離して使用することも可能であり、遠隔地でのカメラ撮影画像をもう一方のカメラのビューワで観察するなどの利用も可能である。
【００３２】
以上のようにして一対の画像伝送装置は通信リンクの確立と暗号化に用いる共通鍵の伝送を完了することができる。
【００３３】
（他の実施例）
前記実施例では、カメラ１はＩＤコードおよび暗号化鍵の生成を行い、カメラ２はカメラ１からこれらの情報を受け取る機器としての実施例であり、あらかじめそれぞれのカメラの動作が決められていた。本発明の第２の実施例では、２台のカメラのうちどちらがＩＤコードと共通鍵を生成するかを自動的に決定する方式を示す。
【００３４】
図４は本発明に関わる第２の実施例における画像通信装置の動作を表したシーケンス図である。画像データの伝送を行おうとする利用者は、これら２台のカメラを近距離に保持し、それぞれのカメラに具備された接続指示スイッチを押す。前記第一の実施例と同様に、この操作によって２台のカメラは第一の動作モードに起動され、送信電力制御手段によってパケット送信時の送信電力を通常の伝送モードよりも小さくなるように制御し、受信利得制御手段によって受信利得が通常の動作よりも小さくなるように制御を行う。次に本実施例では、両方のカメラは前記第三の動作モードに遷移し、相手機器からＩＤコード設定パケットが送信されてくるのを待つ。ここで、それぞれにカメラは乱数で決められたカウント値まで計数を行うカウンタを動作させる。本例ではカメラ１において乱数によって決定されたカウント値は、カメラ２において決定されたカウント値よりも小さいため、カメラ２よりもカメラ１の方が早くタイムアウトする。このタイムアウトによってカメラ１は第三の動作モードから第二の動作モードに遷移し、ＩＤコード設定パケットの送信を行う。これ以降、前記第一の実施例と同様に、２台のカメラは通信リンクを確立するためのシーケンスを行い、通信リンクが確立されることとなる。
【００３５】
このように本発明の他の実施例によって記された以上の動作によって、２台のカメラは自律的にそれぞれの動作モードを決定することが可能となり、効率的に通信リンクの確立が実施できるようになった。
【００３６】
また、本発明を利用した画像通信装置の拡張機能として、通信リンクが確立されたか否かを表示装置によって使用者に知らしめる実装形態も適用できる。本発明によるカメラにとって正常に通信リンクが確立できなかった場合の原因として、２台のカメラの距離が遠すぎたり、あるいは近すぎたりする場合や、２台のカメラの周辺に他の無線機器が存在するため、お互いのカメラを識別することができなかった場合などが挙げられるが、このような通信リンク確立の失敗原因を利用者に表示することにより、カメラを適切な位置、および間隔に配置し直し、再度接続指示を行うように利用者に促すこともできる。
【図面の簡単な説明】
【００３７】
【図１】本発明の実施例における画像通信装置の構成図。
【図２】本発明の実施例における無線モジュールの構成図。
【図３】本発明の実施例における画像通信装置の動作を表すシーケンス図。
【図４】本発明の他の実施例における画像通信装置の動作を表すシーケンス図。
【図５】IEEE802.11規格で規定されたWEP暗号化処理部の構成図。
【図６】IEEE802.11規格で規定されたWEP復号化処理部の構成図。
【符号の説明】
【００３８】
101  レンズユニット
102  CCDユニット
103  画像処理部
104  液晶ビューワ
105  マイクロプロセッサ
106  メモリカード
107  メモリカードインターフェース
108  システムバス
109  ワークメモリ
110  アンテナ
111  無線モジュール
112  電源回路
【図１】
2006060470.tif 000003
【図２】
2006060470.tif 000004
【図３】
2006060470.tif 000005
【図４】
2006060470.tif 000006
【図５】
2006060470.tif 000007
【図６】
2006060470.tif 000008